(57)【特許請求の範囲】
【請求項１】
電源オフ時にレンズ鏡胴を装置本体内に沈胴可能な沈胴式の撮像装置において、
電源のオン／オフをキー操作により切換える電源切換手段と、
上記レンズ鏡胴が装置本体に沈胴しない電源オフ状態を指示する指示手段と、
この指示手段での指示がなされた時点での上記レンズ鏡胴の駆動位置を電源のオン／オフに拘わらず記憶保持する記憶手段と、
上記指示手段に基づいて上記レンズ鏡胴を沈胴させずに電源をオフする一方、上記電源切換手段でのキー操作により電源をオンした際に上記記憶手段に記憶保持されている駆動位置に上記レンズ鏡胴の駆動位置を移動制御するレンズ位置制御手段と
を具備したことを特徴とする撮像装置。
【請求項２】
上記レンズ鏡胴は、焦点距離を連続的に可変するズームレンズを有し、
上記記憶手段は、上記ズームレンズの焦点距離位置を併せて記憶保持し、
上記レンズ位置制御手段は、電源をオンした際に上記記憶手段に記憶保持されている焦点距離位置に上記ズームレンズの駆動位置を移動制御する
ことを特徴とする請求項１記載の撮像装置。
【請求項３】
上記指示手段は、上記レンズ鏡胴を沈胴させない電源オフ状態をモード選択した上で上記電源切換手段により電源のオフをキー操作することを特徴とする請求項１記載の撮像装置。
【請求項４】
上記指示手段は、上記電源切換手段とは別に設けたキーの操作で指示することを特徴とする請求項１記載の撮像装置。
【請求項５】
上記指示手段は、所定のキーの操作時間が所定時間以下である場合に上記レンズ鏡胴が装置本体に沈胴しない電源オフ状態を指示することを特徴とする請求項１記載の撮像装置。
【請求項６】
電源オフ時にレンズ鏡胴を装置本体内に沈胴可能な沈胴式の撮像装置のプログラムであって、
電源のオン／オフをキー操作により切換える電源切換部と、
上記レンズ鏡胴が装置本体に沈胴しない電源オフ状態を指示する指示部と、
この指示手段での指示がなされた時点での上記レンズ鏡胴の駆動位置を電源のオン／オフに拘わらず記憶保持する記憶部と、を備えた撮像装置に、
上記指示部の指示に基づいて上記レンズ鏡胴を沈胴させずに電源をオフする一方、上記電源切換部でのキー操作により電源をオンした際に上記記憶部に記憶保持されている駆動位置に上記レンズ鏡胴の駆動位置を移動制御するレンズ位置制御手段
を実現させることを特徴とするプログラム。
【発明の詳細な説明】
【０００１】
【発明の属する技術分野】
本発明は、レンズ鏡筒部が本体に沈胴する沈胴式の撮像装置及びそのプログラムに関する。
【０００２】
【従来の技術】
従来より、レンズ鏡胴の一部または全部が本体に沈胴する沈胴式のカメラがあった。この種のカメラは、銀塩フィルムを用いたものであれ、デジタルカメラであれ、非撮影時の携帯性を重視すると共に、レンズが不用意に破損し、または汚れてしまうのを防止するものとして、主としてコンパクトタイプのカメラに採用されている。
【０００３】
【発明が解決しようとする課題】
しかしながら、上記沈胴式のカメラでは、当然ながら電源をオンしてからレンズ鏡胴が本来の撮影位置まで駆動されるのにある程度の時間を要し、その間は撮影を行なうことができない。
【０００４】
そのため、携帯性を重視したものでありながら、とっさのシャッターチャンスに対応できないこともあるという不具合があった。
【０００５】
本発明は上記のような実情に鑑みてなされたもので、その目的とするところは、レンズ鏡胴が装置本体に沈胴可能な沈胴式の撮像装置において、必要に応じて電源オフ時にもレンズ鏡胴を沈胴させないことも可能な撮像装置及びそのプログラムを提供することにある。
【０００６】
【課題を解決するための手段】
請求項１記載の発明は、電源オフ時にレンズ鏡胴を装置本体内に沈胴可能な沈胴式の撮像装置において、電源のオン／オフをキー操作により切換える電源切換手段と、上記レンズ鏡胴が装置本体に沈胴しない電源オフ状態を指示する指示手段と、この指示手段での指示がなされた時点での上記レンズ鏡胴の駆動位置を電源のオン／オフに拘わらず記憶保持する記憶手段と、上記指示手段に基づいて上記レンズ鏡胴を沈胴させずに電源をオフする一方、上記電源切換手段でのキー操作により電源をオンした際に上記記憶手段に記憶保持されている駆動位置に上記レンズ鏡胴の駆動位置を移動制御するレンズ位置制御手段とを具備したことを特徴とする撮像装置である。
【０００７】
このような構成とすれば、本来の電源オフの切換えキー操作とは異なる指示の仕方を行なうことにより、レンズ鏡胴を沈胴させずに電源をオフすることができるため、電源となる電池の無駄な消耗を防ぐべくこまめに電源をオフしながら、シャッターチャンスでは逃さず撮影を行なうことができるようになる。
【０００８】
請求項２記載の発明は、上記レンズ鏡胴は、焦点距離を連続的に可変するズームレンズを有し、上記記憶手段は、上記ズームレンズの焦点距離位置を併せて記憶保持し、上記レンズ位置制御手段は、電源をオンした際に上記記憶手段に記憶保持されている焦点距離位置に上記ズームレンズの駆動位置を移動制御することを特徴とする請求項１記載の撮像装置である。
【０００９】
このような構成とすれば、上記請求項１記載の発明の作用に加えて、ズームレンズの焦点距離位置も記憶して電源オン時に即座に再現できるため、ズームレンズを搭載した撮像装置でも電源オン時に無駄な設定操作を行なう必要がなく、電源オン時により速やかに撮影を開始できる。
【００１０】
請求項３記載の発明は、上記請求項１記載の発明において、上記指示手段は、上記レンズ鏡胴を沈胴させない電源オフ状態をモード選択した上で上記電源切換手段により電源のオフをキー操作することを特徴とする。
【００１１】
このような構成とすれば、上記請求項１記載の発明の作用に加えて、電源オフ時にレンズ鏡胴を沈胴させない状態をモード選択の１つとして指示することにより、電源のオン／オフを切換えるキーとは別のキーを設ける必要がなく、カメラの構成をより簡略化することができる。
【００１２】
請求項４記載の発明は、上記請求項１記載の発明において、上記指示手段は、上記電源切換手段とは別に設けたキーの操作で指示することを特徴とする。
【００１３】
このような構成とすれば、上記請求項１記載の発明の作用に加えて、電源のオン／オフを切換えるキーの操作とは別に、特定のキー操作により即座にレンズ鏡胴を沈胴させない状態での電源オフに移行させることができる。
【００１４】
請求項５記載の発明は、上記指示手段は、所定のキーの操作時間が所定時間以下である場合に上記レンズ鏡胴が装置本体に沈胴しない電源オフ状態を指示することを特徴とする請求項１記載の撮像装置である。
【００１５】
このような構成とすれば、上記請求項１記載の発明の作用に加えて、電源オフ時にレンズ鏡胴を沈胴させない状態を所定のキーの操作時間に対応して指示することにより、電源のオン／オフを切換えるキーとは別にキーを設ける必要がなく、カメラの構成をより簡略化することができる。
【００１６】
請求項６記載の発明は、電源オフ時にレンズ鏡胴を装置本体内に沈胴可能な沈胴式の撮像装置のプログラムであって、電源のオン／オフをキー操作により切換える電源切換部と、上記レンズ鏡胴が装置本体に沈胴しない電源オフ状態を指示する指示部と、この指示手段での指示がなされた時点での上記レンズ鏡胴の駆動位置を電源のオン／オフに拘わらず記憶保持する記憶部と、を備えた撮像装置に、上記指示部の指示に基づいて上記レンズ鏡胴を沈胴させずに電源をオフする一方、上記電源切換部でのキー操作により電源をオンした際に上記記憶部に記憶保持されている駆動位置に上記レンズ鏡胴の駆動位置を移動制御するレンズ位置制御手段を実現させることを特徴とするプログラムである。
【００１８】
【発明の実施の形態】
（第１の実施の形態）
以下本発明をズームレンズを備えたデジタルスチルカメラ（以下「デジタルカメラ」と称する）に適用した場合の第１の実施の形態について図面を参照して説明する。
【００１９】
図１は、本実施の形態に係るデジタルカメラ１０の外観構成を示すものであり、図１（Ａ）はレンズ鏡胴１２がカメラ本体１１内に完全に沈胴し、その開口がレンズバリア１３で閉じている状態、図１（Ｂ）はレンズバリア１３が開いてレンズ鏡胴１２がカメラ本体１１から前方に露出している、電源がオンであれば撮影が可能な状態である。
【００２０】
図示する如く、カメラ本体１１の上面には、電源（ＰＯＷＥＲ）キー１４、レリーズキー１５、ズームキー１６、ガイドパネル１７、及び待機（ＷＡＩＴ）キー１８が配設される。
【００２１】
電源キー１４は、電源のオン／オフを切換えるものであり、レリーズキー１５は、その操作により記録モード時にシャッタ動作させる他、各種動作モードのメニュー項目を表示させている状態では選択／実行キーとしても機能する。
【００２２】
ズームキー１６は、２つのキースイッチがシーソー状に配設されて構成されるもので、そのいずれか一方を連続して操作することによりレンズ鏡胴１２の焦点機能位置が所定の範囲内で望遠（Ｔ）側または広角（Ｗ）側に連続的に変化する。
【００２３】
ガイドパネル１７は、例えばモノクロの液晶表示パネルとそのバックライト機構とで構成されるもので、電源となる電池の消耗状態や選択されている各種モードの内容、撮影した画像データを記憶する後述するフラッシュメモリの記憶状態、選択されている画質情報等をガイド表示する。
【００２４】
待機キー１８は、電源オン時に操作することで、上記レンズ鏡胴１２をカメラ本体１１内に沈胴させることなく電源をオフにする。
【００２５】
また、カメラ本体１１の前面には、上記レンズ鏡胴１２またはレンズバリア１３の他に、ストロボ発光部１９、光学ファインダ窓２０、及びセルフタイマランプ２１が配設される。
【００２６】
さらに図示はしないがカメラ本体１１の背面には、光学ファインダ、記録／再生切換キー、メニューキー、表示されたメニュー項目等を選択するためのカーソルキー、ユーザが任意に機能を割当てられるカスタムキー及び液晶モニタ部等が配設される。
【００２７】
記録／再生切換キーは、記録モードと再生モードとを切換えるためのキーであり、メニューキーは、各種動作モードのメニュー項目等を表示させるためのものである。
【００２８】
カーソルキーは、表示されたメニュー項目等を移動するためのものであり、液晶モニタ部は、例えばバックライト付きのカラー液晶表示パネルで構成され、記録時には記録画像をモニタ表示する他、上記メニューキーの操作により動作モード等の選択状態等も表示する。
【００２９】
カスタムキーは、このデジタルカメラ１０のユーザが任意に所定の機能をソフトウェア的に割り当てて使用するためのもので、その機能設定に際しては予めカスタマイズ（ユーザ設定）モードにて所定のキー操作を実行することで、以後その１つの機能に関してのみ、煩雑なモード設定と選択操作等の手間を省いて１回の操作で所定の機能の実行を指示することができるものとする。
【００３０】
次に図２により上記カメラ本体１１内に設けられる主として電子回路の構成について説明する。
【００３１】
図中、上記レンズバリア１３は、レンズバリア駆動部３１の駆動により開閉動作し、レンズバリア１３が開かれた状態で上記レンズ鏡胴１２を構成するレンズ光学系３２が撮影位置までレンズ駆動部３３によって繰出される。
【００３２】
ここでレンズ光学系３２は、詳細な説明は省略するが、ズームレンズ及びフォーカスレンズを含んでおり、レンズ鏡胴１２の繰出し／沈胴とズームレンズ及びフォーカスレンズの各位置駆動は、モータと各種ギヤ機構とで構成されるレンズ駆動部３３により統括制御される。
【００３３】
しかして、レンズバリア１３を繰出しての撮影状態では、被写体の光像がレンズ光学系３２により撮影光路の後方に配置された撮像素子であるＣＣＤ３４に結像される。
【００３４】
このＣＣＤ３４は、タイミング発生器（ＴＧ）３５、垂直ドライバ３６によって走査駆動され、一定周期毎に光電変換出力を１画面分出力する。
【００３５】
この光電変換出力は、アナログ値の信号の状態で図示しないＡＧＣアンプによりＲＧＢの各色成分毎に適宜ゲイン調整された後に、サンプルホールド回路（Ｓ／Ｈ）３７でサンプルホールドされ、Ａ／Ｄ変換器（Ａ／Ｄ）３８でデジタルデータに変換され、カラープロセス回路３９で補間処理及びγ補正処理を含むカラープロセス処理が行なわれて、デジタル値の輝度信号Ｙ及び色差信号Ｃｂ，ＣｒがＤＭＡ（Ｄｉｒｅｃｔ  Ｍｅｍｏｒｙ  Ａｃｃｅｓｓ）コントローラ４０に出力される。
【００３６】
ＤＭＡコントローラ４０は、カラープロセス回路３９の出力する輝度信号Ｙ及び色差信号Ｃｂ，Ｃｒを、同じくカラープロセス回路３９からの同期信号、メモリ書込みイネーブル、クロック出力を用いて一度ＤＭＡコントローラ４０内部のバッファに書込み、ＤＲＡＭインタフェース（Ｉ／Ｆ）４１を介してＤＲＡＭ４２にＤＭＡ転送を行なう。
【００３７】
制御部４３は、ＣＰＵと動作プログラムを記憶したＲＯＭ、及びワークメモリとして設けられたＲＡＭ等により構成されるもので、上記輝度及び色差信号のＤＲＡＭ４２へのＤＭＡ転送終了後に、この輝度及び色差信号をＤＲＡＭインタフェース４１を介してＤＲＡＭ４２より読出し、ＶＲＡＭコントローラ４４を介してＶＲＡＭ４５に書込ませる。
【００３８】
また制御部４３は、上記レンズ鏡胴１２を構成するレンズ光学系３２のズームレンズ及びフォーカスレンズの各駆動位置を記憶するためのレンズ位置メモリ４３ａを備える。
【００３９】
このレンズ位置メモリ４３ａは、上記制御部４３を構成するＲＡＭの一部として電源バックアップするか、あるいは上記ＲＡＭとは別の不揮発性のメモリで構成するものとして、デジタルカメラ１０の電源のオン／オフに関係なくその内容が常時記憶保持されるものとする。
【００４０】
上記ＶＲＡＭコントローラ４４と接続されたデジタルビデオエンコーダ４６は、上記輝度及び色差信号をＶＲＡＭコントローラ４４を介してＶＲＡＭ４５より定期的に読出し、これらのデータを元にビデオ信号を発生して表示部４７に出力する。
【００４１】
この表示部４７は、例えばバックライト付きのＴＦＴ液晶パネルでなり、上述したカメラ本体１１の背面側に配設されて液晶モニタ部を構成するもので、記録モード時にはＥＶＦ（Ｅｌｅｃｔｒｏｎｉｃ  Ｖｉｅｗ  Ｆｉｎｄｅｒ：電子ビューファインダ）として機能し、デジタルビデオエンコーダ４６からのビデオ信号に基づいた表示を行なうことで、その時点でＶＲＡＭコントローラ４４から取込んでいる画像情報に基づく画像を表示する。
【００４２】
そして、このように表示部４７にその時点での画像がモニタ画像としてリアルタイムに表示されている状態で、記録保存を行ないたいタイミングでキー入力部４８を構成する上記レリーズキー１５を操作すると、トリガ信号を発生する。
【００４３】
制御部４３は、このトリガ信号に応じてその時点でＣＣＤ３４から取込んでいる１画面分の輝度及び色差信号のＤＲＡＭ４２へのＤＭＡ転送の終了後、直ちにＣＣＤ３４からのＤＲＡＭ４２への経路を停止し、記録保存の状態に遷移する。
【００４４】
この記録保存の状態では、制御部４３がＤＲＡＭ４２に書込まれている１フレーム分の輝度及び色差信号をＤＲＡＭインタフェース４１を介してＹ，Ｃｂ，Ｃｒの各コンポーネント毎に縦８画素×横８画素の基本ブロックと呼称される単位で読出してＪＰＥＧ（Ｊｏｉｎｔ  Ｐｈｏｔｏｇｒａｐｈ  ｃｏｄｉｎｇ  Ｅｘｐｅｒｔｓ  Ｇｒｏｕｐ）回路４９に書込み、このＪＰＥＧ回路４９でＡＤＣＴ（Ａｄａｐｔｉｖｅ  Ｄｉｓｃｒｅｔｅ  Ｃｏｓｉｎｅ  Ｔｒａｎｓｆｏｒｍ：適応離散コサイン変換）、エントロピ符号化方式であるハフマン符号化等の処理により圧縮し、得た符号データを１画像データファイルとして該ＪＰＥＧ回路４９から読出し、このデジタルカメラ１０の記憶媒体として着脱自在に装着されるメモリカード中に封入された、不揮発性メモリであるフラッシュメモリ５０に書込む。
【００４５】
そして、１フレーム分の輝度及び色差信号の圧縮処理及びフラッシュメモリ５０への全圧縮データの書込み終了に伴なって、制御部４３は再度ＣＣＤ３４からＤＲＡＭ４２への経路を起動する。
【００４６】
この際、併せて制御部４３は、元の画像データの構成画素数を大幅に間引いた画像データを作成し、これをサムネイル画像とも呼称されるプレビュー画像として元の画像データに関連付けてフラッシュメモリ５０に記憶させる。
【００４７】
なお、上記キー入力部４８は、上記レリーズキー１５の他に、電源キー１４、ズームキー１６、待機キー１８や、上述した記録／再生切替えキー、モードキー、カーソルキー、選択／実行キー等を有し、そのキー操作に伴なう信号は直接制御部４３へ送出される。
【００４８】
また、再生モードでは、制御部４３はＣＣＤ３４からＤＲＡＭ４２への経路を停止し、キー入力部４８のカーソルキー等の操作に応じて制御部４３がフラッシュメモリ５０から特定の１フレーム分の符号データを読出してＪＰＥＧ回路４９に書込み、ＪＰＥＧ回路４９で伸長処理を行なって得られた縦８画素×横８画素の基本ブロック単位に、ＶＲＡＭコントローラ４４を介してＶＲＡＭ４５へ１フレーム分のＹＵＶデータを展開記憶させる。すると、デジタルビデオエンコーダ４６は、ＶＲＡＭ４５に展開記憶されている１フレーム分のＹＵＶデータを元にビデオ信号を発生し、表示部４７で表示させる。
【００４９】
次に上記実施の形態の動作について説明する。
ここでは、待機キー１８が操作されて電源がオフされる場合か、あるいは動作モードの選択により「待機」モードが設定されている状態で電源キー１４が操作されて電源がオフされる場合には、その時点でレンズ鏡胴１２を構成しているレンズ光学系３２の各レンズの駆動位置をレンズ位置メモリ４３ａに記憶保持した上で、レンズバリア１３の沈胴を行なうことなく電源をオフにするものとする。
【００５０】
図３は、電源をオフしている状態から、主として制御部４３が実行する電源のオン／オフ状態に対応したレンズ鏡胴１２の位置制御の処理内容を示すものである。
【００５１】
その処理当初に制御部４３は、上記キー入力部４８を構成する電源キー１４の操作により電源オンが指示されるのを待機する（ステップＡ０１）。
【００５２】
そして、電源キー１４が操作され、電源オンが指示されたと判断した時点で、そのときにレンズ位置メモリ４３ａにレンズ光学系３２の各レンズの駆動位置が記憶保持されていないかどうかにより、レンズ鏡胴１２が沈胴しているか否かを判断する（ステップＡ０２）。
【００５３】
ここで、レンズ位置メモリ４３ａにレンズ光学系３２の各レンズの駆動位置が記憶保持されておらず、レンズ鏡胴１２は沈胴しているものと判断した場合、制御部４３は、まずレンズバリア駆動部３１によりレンズバリア１３を開けた後に（ステップＡ０３）、レンズ駆動部３３によりレンズ光学系３２の各レンズの駆動位置を予め設定されている初期位置に移動させる（ステップＡ０４）。
【００５４】
また、上記ステップＡ０２でレンズ位置メモリ４３ａにレンズ光学系３２の各レンズの駆動位置が記憶保持されており、レンズ鏡胴１２は沈胴していないものと判断した場合、制御部４３はそのレンズ位置メモリ４３ａに記憶されている内容に基づいて、レンズ光学系３２の各レンズの駆動位置が記憶されているとおりであるかどうか確認し、異なっている場合にはレンズ位置メモリ４３ａの記憶内容に基づいてレンズ駆動部３３によりレンズ光学系３２の各レンズの駆動位置をその前に電源がオフされた時点の状態に復旧させる（ステップＡ０５）。
【００５５】
こうして電源をオンし、レンズ鏡胴１２を撮影に適した位置まで繰出した電源オンの状態で、制御部４３はキー入力部４８の電源キー１４が操作されたか否か（ステップＡ０６）、待機キー１８が操作されたか否か（ステップＡ０７）、上述したメニューキーやカーソルキー等を操作してのモード設定操作がなされたか否か（ステップＡ０８）、またはその他の操作がなされたか否か（ステップＡ０９）、を繰返し判断することにより、これらのいずれかが操作されるのを待機する。
【００５６】
上記ステップＡ０８で、メニューキーやカーソルキー等を操作してのモード設定操作がなされたと判断した場合、制御部４３はその操作内容に対応してモードの設定状態を変更設定した上で（ステップＡ１６）、再び上記ステップＡ０６からの待機状態に戻る。
【００５７】
また、上記ステップＡ０９で、その他の操作がなされたと判断した場合には、制御部４３はその操作内容に対応した処理を実行した上で（ステップＡ１７）、再び上記ステップＡ０６からの待機状態に戻る。
【００５８】
さらに、上記ステップＡ１０で電源キー１４が操作されたと判断した場合には、次いでその時点で待機モードが設定されているか否かを続けて判断する（ステップＡ１０）。
【００５９】
ここで、待機モードが設定されていないと判断した場合には、電源オン時の電源キー１４の操作に対応してレンズ鏡胴１２を撮影状態の位置から後退させてカメラ本体１１内に沈胴させ（ステップＡ１１）、次いで上記図１（Ａ）に示したようにレンズバリア１３を閉じた後に（ステップＡ１２）、レンズ位置メモリ４３ａの内容を一括してクリア設定する（ステップＡ１３）。
【００６０】
その上で、他の各回路に対しても電源供給を停止して電源をオフする処理を実行し（ステップＡ１４）、再び電源キー１４が操作されるのを待機するべく上記ステップＡ０１からの処理に戻る。
【００６１】
また、上記ステップＡ１０で、電源キー１４が操作された時点で待機モードが設定されていたと判断した場合には、その時点でのレンズ光学系３２の各レンズの駆動位置をレンズ位置メモリ４３ａに更新記憶させた後に（ステップＡ１５）、上記ステップＡ１１〜Ａ１３の処理は行なわず、そのためにレンズ鏡胴１２をそれまでの電源オン時の状態のままカメラ本体１１内に沈胴させずに、各回路に対する電源供給を停止して電源をオフする処理を実行し（ステップＡ１４）、その後に再び電源キー１４が操作されるのを待機するべく上記ステップＡ０１からの処理に戻る。
【００６２】
さらに、上記ステップＡ０７で待機キー１８が操作されたと判断した場合も、上記待機モードが設定されている状態で電源キー１４が操作された場合と同様に、その時点でのレンズ光学系３２の各レンズの駆動位置をレンズ位置メモリ４３ａに更新記憶させた後に（ステップＡ１５）、上記ステップＡ１１〜Ａ１３の処理は行なわず、そのためにレンズ鏡胴１２をそれまでの電源オン時の状態のままカメラ本体１１内へ沈胴させずに、各回路に対する電源供給を停止して電源をオフする処理を実行し（ステップＡ１４）、その後に再び電源キー１４が操作されるのを待機するべく上記ステップＡ０１からの処理に戻る。
【００６３】
このように、待機モードを設定した状態で電源キー１４を操作する場合や、電源キー１４とは別に設けた待機キー１８を操作するなど、本来の電源オフの切換えのための電源キー１４の操作とは異なる指示の仕方を行なうことにより、レンズ鏡胴１２をカメラ本体１１内に沈胴させずに電源をオフするようにした。
【００６４】
このため、電源となる電池の無駄な消耗を防ぐべくこまめに電源をオフしながら、次に電源をオンする際にはレンズ鏡胴１２を再び任意の位置まで繰出す、というような処理を行なう必要がなく、即座に撮影に移行することができるので、シャッターチャンスを逃さず撮影を開始することができるようになる。
【００６５】
また、特に、近時のデジタルスチルカメラではほぼ標準的に採用しているように、レンズ光学系３２が焦点距離を連続的に可変するズームレンズを有するものとし、制御部４３のレンズ位置メモリ４３ａには電源を行なうする指示がなされていた時点での該ズームレンズの焦点距離位置を併せて記憶保持し、続く電源オン時には、記憶保持した焦点距離位置に基づいて上記ズームレンズの駆動位置を確認または移動制御するものとした。
【００６６】
そのため、ズームレンズを搭載している場合に電源オン時に再びそれまで使用していた焦点距離位置に戻すという無駄な設定操作を行なう必要がなく、電源オン時により速やかに撮影を開始できる。
【００６７】
さらに、上記のように電源キー１４とは別に待機キー１８を設け、この待機キー１８の操作により、レンズ鏡胴１２を沈胴させない状態での電源オフ状態に速やかに移行させることができるようにした。
【００６８】
加えて、上述した如く待機モードのモード設定を行なった状態で電源キー１４の操作により電源のオフを指示した場合には、通常の電源キー１４の操作での電源オフとは異なり、上記レンズ鏡胴１２を沈胴させない状態で電源をオフさせることとしたため、特にカメラ全体の操作キーの数を制限したい場合などには、カメラの構成をより簡略化できる。
【００６９】
（第２の実施の形態）
以下本発明をズームレンズを備えたデジタルカメラに適用した場合の第２の実施の形態について図面を参照して説明する。
【００７０】
なお、本実施の形態に係るデジタルカメラの外観構成については上記図１と、またカメラ本体内に設けられる主として電子回路の構成については上記図２と、それぞれ基本的には同様であるものとして、同一部分には同一符号を付すものとし、その図示及び説明は省略する。
【００７１】
なお、上記図１及び図２における待機キー１８は設けず、代わってこのデジタルカメラ１０のユーザによるカスタマイズ（ユーザ設定）モードでの設定で、上述したカスタムキーの操作の仕方によっては、上記待機キー１８と同等の指示も実行可能であるものとする。
【００７２】
次に上記実施の形態の動作について説明する。
【００７３】
ここでは、カメラ本体１１の背面側に設けられたカスタムキーが所定の時間、例えば２秒間未満の短い時間だけ操作されて電源がオフされる場合には、その時点でレンズ鏡胴１２を構成しているレンズ光学系３２の各レンズの駆動位置をレンズ位置メモリ４３ａに記憶保持した上で、レンズバリア１３の沈胴を行なうことなく電源をオフにするものとする。
【００７４】
図４は、電源をオフしている状態から、主として制御部４３が実行する電源のオン／オフ状態に対応したレンズ鏡胴１２の位置制御の処理内容を示すものである。
【００７５】
その処理当初に制御部４３は、上記キー入力部４８を構成する電源キー１４の操作により電源オンが指示されるのを待機する（ステップＢ０１）。
【００７６】
そして、電源キー１４が操作され、電源オンが指示されたと判断した時点で、そのときにレンズ位置メモリ４３ａにレンズ光学系３２の各レンズの駆動位置が記憶保持されていないかどうかにより、レンズ鏡胴１２が沈胴しているか否かを判断する（ステップＢ０２）。
【００７７】
ここで、レンズ位置メモリ４３ａにレンズ光学系３２の各レンズの駆動位置が記憶保持されておらず、レンズ鏡胴１２は沈胴しているものと判断した場合、制御部４３は、まずレンズバリア駆動部３１によりレンズバリア１３を開けた後に（ステップＢ０３）、レンズ駆動部３３によりレンズ光学系３２の各レンズの駆動位置を予め設定されている初期位置に移動させる（ステップＢ０４）。
【００７８】
また、上記ステップＢ０２でレンズ位置メモリ４３ａにレンズ光学系３２の各レンズの駆動位置が記憶保持されており、レンズ鏡胴１２は沈胴していないものと判断した場合、制御部４３はそのレンズ位置メモリ４３ａに記憶されている内容に基づいて、レンズ光学系３２の各レンズの駆動位置が記憶されているとおりであるかどうか確認し、異なっている場合にはレンズ位置メモリ４３ａの記憶内容に基づいてレンズ駆動部３３によりレンズ光学系３２の各レンズの駆動位置をその前に電源がオフされた時点の状態に復旧させる（ステップＢ０５）。
【００７９】
こうして電源をオンし、レンズ鏡胴１２を撮影に適した位置まで繰出した電源オンの状態で、制御部４３はキー入力部４８の電源キー１４が操作されるか、あるいはカスタムキーが所定の時間、例えば２秒間以上連続して操作されたか否か（ステップＢ０６）、同カスタムキーが所定の時間、例えば２秒間未満の短い時間だけ操作されたか否か（ステップＢ０７）、またはその他の操作がなされたか否か（ステップＢ０８）、を繰返し判断することにより、これらのいずれかが操作されるのを待機する。
【００８０】
上記ステップＢ０８で、その他の操作がなされたと判断した場合には、制御部４３はその操作内容に対応した処理を実行した上で（ステップＢ１４）、再び上記ステップＢ０６からの待機状態に戻る。
【００８１】
また、上記ステップＢ０６で電源キー１４が操作されたか、あるいはカスタムキーが所定の時間、例えば２秒間以上連続して操作されたと判断した場合には、その操作に対応してレンズ鏡胴１２を撮影状態の位置から後退させてカメラ本体１１内に沈胴させ（ステップＢ０９）、次いで上記図１（Ａ）に示したようにレンズバリア１３を閉じた後に（ステップＢ１０）、レンズ位置メモリ４３ａの内容を一括してクリア設定する（ステップＢ１１）。
【００８２】
その上で、他の各回路に対しても電源供給を停止して電源をオフする処理を実行し（ステップＢ１２）、再び電源キー１４が操作されるのを待機するべく上記ステップＢ０１からの処理に戻る。
【００８３】
また、上記ステップＢ０７で、カスタムキーが所定の時間、例えば２秒間未満の短い時間だけ操作されたと判断した場合には、その時点でのレンズ光学系３２の各レンズの駆動位置をレンズ位置メモリ４３ａに更新記憶させた後に（ステップＢ１３）、上記ステップＢ０９〜Ｂ１１の処理は行なわず、そのためにレンズ鏡胴１２をそれまでの電源オン時の状態のままカメラ本体１１内に沈胴させずに、各回路に対する電源供給を停止して電源をオフする処理を実行し（ステップＢ１２）、その後に再び電源キー１４が操作されるのを待機するべく上記ステップＢ０１からの処理に戻る。
【００８４】
このように、所定のキーの操作時間の長短に対応して、電源オフ時にレンズ鏡胴を沈胴させない状態を指示することができるので、例えばカメラのカスタマイズ（ユーザ設定）モードなどによりユーザが任意のキーに上記機能を振り当てて設定できる場合には、電源のオン／オフを切換える電源キー１４とは別のキーをその機能に割り当てて設定することにより、上記第１の実施の形態で説明した待機キー１８のような専用のキーを設ける必要がなく、カメラの構成をより簡略化することができる。
【００８５】
（第３の実施の形態）
以下本発明をズームレンズを備えたデジタルカメラに適用した場合の第３の実施の形態について図面を参照して説明する。
【００８６】
なお、本実施の形態に係るデジタルカメラの外観構成については上記図１と、またカメラ本体内に設けられる主として電子回路の構成については上記図２と、それぞれ基本的には同様であるものとして、同一部分には同一符号を付すものとし、その図示及び説明は省略する。
【００８７】
なお、上記図１及び図２における待機キー１８は設けず、代わって電源オン時にレンズ光学系３２を介して得られる光像の明るさを常時制御部４３がモニタリングしており、レンズ鏡胴１２部を手などで所定時間覆うことによって、明るさが所定の変化パターン、例えば「明」→「暗」→「明」→「暗」→「明」のように変化した場合にこれを判断することで、上記待機キー１８の操作と同等の指示とすることも実行可能であるものとする。
【００８８】
次に上記実施の形態の動作について説明する。
【００８９】
ここでは、撮影状態からレンズ鏡胴１２の前面を手などで覆うなどして、得られる明るさが「明」→「暗」→「明」→「暗」→「明」のような所定の変化パターンとなった際には、その時点でレンズ鏡胴１２を構成しているレンズ光学系３２の各レンズの駆動位置をレンズ位置メモリ４３ａに記憶保持した上で、レンズバリア１３の沈胴を行なうことなく電源をオフにするものとする。
【００９０】
図５は、電源をオフしている状態から、主として制御部４３が実行する電源のオン／オフ状態に対応したレンズ鏡胴１２の位置制御の処理内容を示すものである。
【００９１】
その処理当初に制御部４３は、上記キー入力部４８を構成する電源キー１４の操作により電源オンが指示されるのを待機する（ステップＣ０１）。
【００９２】
そして、電源キー１４が操作され、電源オンが指示されたと判断した時点で、そのときにレンズ位置メモリ４３ａにレンズ光学系３２の各レンズの駆動位置が記憶保持されていないかどうかにより、レンズ鏡胴１２が沈胴しているか否かを判断する（ステップＣ０２）。
【００９３】
ここで、レンズ位置メモリ４３ａにレンズ光学系３２の各レンズの駆動位置が記憶保持されておらず、レンズ鏡胴１２は沈胴しているものと判断した場合、制御部４３は、まずレンズバリア駆動部３１によりレンズバリア１３を開けた後に（ステップＣ０３）、レンズ駆動部３３によりレンズ光学系３２の各レンズの駆動位置を予め設定されている初期位置に移動させる（ステップＣ０４）。
【００９４】
また、上記ステップＣ０２でレンズ位置メモリ４３ａにレンズ光学系３２の各レンズの駆動位置が記憶保持されており、レンズ鏡胴１２は沈胴していないものと判断した場合、制御部４３はそのレンズ位置メモリ４３ａに記憶されている内容に基づいて、レンズ光学系３２の各レンズの駆動位置が記憶されているとおりであるかどうか確認し、異なっている場合にはレンズ位置メモリ４３ａの記憶内容に基づいてレンズ駆動部３３によりレンズ光学系３２の各レンズの駆動位置をその前に電源がオフされた時点の状態に復旧させる（ステップＣ０５）。
【００９５】
こうして電源をオンし、レンズ鏡胴１２を撮影に適した位置まで繰出した電源オンの状態で、制御部４３はキー入力部４８の電源キー１４が操作されるか否か（ステップＣ０６）、モニタリングしている被写体像の明るさが上記した所定のパターンで変化したか否か（ステップＣ０７）、あるいはその他の操作がなされたか否か（ステップＣ０８）、を繰返し判断することにより、これらのいずれかの状態となるのを待機する。
【００９６】
上記ステップＣ０８で、その他の操作がなされたと判断した場合には、制御部４３はその操作内容に対応した処理を実行した上で（ステップＣ１４）、再び上記ステップＣ０６からの待機状態に戻る。
【００９７】
また、上記ステップＣ０６で電源キー１４が操作されたと判断した場合には、その操作に対応してレンズ鏡胴１２を撮影状態の位置から後退させてカメラ本体１１内に沈胴させ（ステップＣ０９）、次いで上記図１（Ａ）に示したようにレンズバリア１３を閉じた後に（ステップＣ１０）、レンズ位置メモリ４３ａの内容を一括してクリア設定する（ステップＣ１１）。
【００９８】
その上で、他の各回路に対しても電源供給を停止して電源をオフする処理を実行し（ステップＣ１２）、再び電源キー１４が操作されるのを待機するべく上記ステップＣ０１からの処理に戻る。
【００９９】
また、上記ステップＣ０７で、モニタリングしている被写体像の明るさが上記した所定のパターンで変化したと判断した場合には、その時点でのレンズ光学系３２の各レンズの駆動位置をレンズ位置メモリ４３ａに更新記憶させた後に（ステップＣ１３）、上記ステップＣ０９〜Ｃ１１の処理は行なわず、そのためにレンズ鏡胴１２をそれまでの電源オン時の状態のままカメラ本体１１内に沈胴させずに、各回路に対する電源供給を停止して電源をオフする処理を実行し（ステップＣ１２）、その後に再び電源キー１４が操作されるのを待機するべく上記ステップＣ０１からの処理に戻る。
【０１００】
このように、例えばレンズ光学系３２への外光の入射を所定時間だけ遮断するなど、所定の被写体像の明るさの変化パターンに対応して、電源オフ時にレンズ鏡胴１２を沈胴させない状態を指示することにより、電源のオン／オフを切換える電源キー１４とは別にキーを設ける必要がなく、カメラの構成をより簡略化することができる。
【０１０１】
なお、上記第１乃至第３に係る各実施の形態は、いずれも本発明をデジタルスチルカメラに適用した場合について例示したものであるが、本発明はこれに限らず、レンズ鏡胴の一部または全部がカメラ本体に沈胴するようなカメラ装置であれば、銀塩フィルムカメラやアナログ／デジタルのビデオカメラ等のいずれかであっても同様に適用可能となる。
【０１０２】
その他、本発明は上記実施の形態に限らず、その要旨を逸脱しない範囲内で種々変形して実施することが可能であるものとする。
【０１０３】
さらに、上記実施の形態には種々の段階の発明が含まれており、開示される複数の構成要件における適宜な組合わせにより種々の発明が抽出され得る。例えば、実施の形態に示される全構成要件からいくつかの構成要件が削除されても、発明が解決しようとする課題の欄で述べた課題の少なくとも１つが解決でき、発明の効果の欄で述べられている効果の少なくとも１つが得られる場合には、この構成要件が削除された構成が発明として抽出され得る。
【０１０４】
【発明の効果】
請求項１記載の発明によれば、本来の電源オフの切換えキー操作とは異なる指示の仕方を行なうことにより、レンズ鏡胴を沈胴させずに電源をオフすることができるため、電源となる電池の無駄な消耗を防ぐべくこまめに電源をオフしながら、シャッターチャンスでは逃さず撮影を行なうことができるようになる。
【０１０５】
請求項２記載の発明によれば、上記請求項１記載の発明の効果に加えて、ズームレンズの焦点距離位置も記憶して電源オン時に即座に再現できるため、ズームレンズを搭載した撮像装置でも電源オン時に無駄な設定操作を行なう必要がなく、電源オン時により速やかに撮影を開始できる。
【０１０６】
請求項３記載の発明によれば、上記請求項１記載の発明の効果に加えて、電源オフ時にレンズ鏡胴を沈胴させない状態をモード選択の１つとして指示することにより、電源のオン／オフを切換えるキーとは別のキーを設ける必要がなく、カメラの構成をより簡略化することができる。
【０１０７】
請求項４記載の発明によれば、上記請求項１記載の発明の効果に加えて、電源のオン／オフを切換えるキーの操作とは別に、特定のキー操作により即座にレンズ鏡胴を沈胴させない状態での電源オフに移行させることができる。
【０１０８】
請求項５記載の発明によれば、上記請求項１記載の発明の効果に加えて、電源オフ時にレンズ鏡胴を沈胴させない状態を所定のキーの操作時間に対応して指示することにより、電源のオン／オフを切換えるキーとは別にキーを設ける必要がなく、カメラの構成をより簡略化することができる。
【図面の簡単な説明】
【図１】本発明の第１の実施の形態に係るデジタルスチルカメラの外観構成を示す斜視図。
【図２】同実施の形態に係る電子回路の構成を示すブロック図。
【図３】同実施の形態に係る電源のオン／オフ状態に対応したレンズ鏡胴の位置制御の処理内容を示すフローチャート。
【図４】本発明の第２の実施の形態に係るデジタルスチルカメラでの電源のオン／オフ状態に対応したレンズ鏡胴の位置制御の処理内容を示すフローチャート。
【図５】本発明の第３の実施の形態に係るデジタルスチルカメラでの電源のオン／オフ状態に対応したレンズ鏡胴の位置制御の処理内容を示すフローチャート。
【符号の説明】
１０…デジタルカメラ
１１…カメラ本体
１２…レンズ鏡胴
１３…レンズバリア
１４…電源キー
１５…レリーズキー
１６…ズームキー
１７…ガイドパネル
１８…待機キー
１９…ストロボ発光部
２０…光学ファインダ窓
２１…セルフタイマランプ
３１…レンズバリア駆動部
３２…レンズ光学系
３３…レンズ駆動部
３４…ＣＣＤ
３５…タイミング発生器（ＴＧ）
３６…垂直ドライバ
３７…サンプルホールド回路（Ｓ／Ｈ）
３８…Ａ／Ｄ変換器（Ａ／Ｄ）
３９…カラープロセス回路
４０…ＤＭＡコントローラ
４１…ＤＲＡＭインタフェース（Ｉ／Ｆ）
４２…ＤＲＡＭ
４３…制御部
４３ａ…レンズ位置メモリ
４４…ＶＲＡＭコントローラ
４５…ＶＲＡＭ
４６…デジタルビデオエンコーダ
４７…表示部
４８…キー入力部
４９…ＪＰＥＧ回路
５０…フラッシュメモリ
【図１】
0004140231.tif 000002
【図２】
0004140231.tif 000003
【図３】
0004140231.tif 000004
【図４】
0004140231.tif 000005
【図５】
0004140231.tif 000006